(57)【特許請求の範囲】
【請求項１】
ワークを搭載して搬送駆動形態の異なる搬送ラインを乗り継いで搬送走行する台車本体と、該台車本体の下底面に設けて一対の軌条上を車輪走行する前後左右の走行車輪と、前記台車本体の下底面に搬送方向に沿ってワークの全長よりやや長く延設してスキッド搬送用ローラコンベヤ側の駆動ローラによりスキッド走行する左右一対のスキッド部と、前記台車本体の下底面の幅方向中央に設けて台車牽引用コンベヤ側の台車牽引用プッシャドグに係脱自在に係合して台車本体を牽引する台車牽引用係合部とを備えていることを特徴とするハイブリッド搬送台車。
【請求項２】
前記走行車輪を水平軸回りで回動自在に支持する車軸がスキッド部に固定されていることを特徴とする請求項１記載のハイブリッド搬送台車。
【発明の詳細な説明】
【０００１】
【発明の属する技術分野】
本発明は、工場において自動車のボディー等のワークを搬送するための搬送台車に関する。
【０００２】
【従来の技術】
従来、工場内では、種々の作業工程に応じてワークを搬送するための搬送台車やスキッド搬送体等の様々な搬送体が用いられている。
【０００３】
図８は、塗装工程で塗装を行った自動車のボディー等のワークＷを乾燥処理するために、ワークＷを搭載してオーブン炉内で搬送する搬送台車の一例を示すものであって、搬送台車Ａ１はその車体下面に４つの鍔付きの走行車輪Ａ２を有しており、これらの走行車輪Ａ２がオーブン炉内の床面Ｇの支持フレームＡ３に固定された一対の軌条Ａ４に支持されて、これらの軌条Ａ４の中間に設けられた台車搬送用コンベヤＡ５によって牽引搬送されるようになっている。
【０００４】
そして、台車搬送用コンベヤＡ５は、左右に対向して設けられている断面コ字状の一対のガイドレールＡ６を転動するガイドローラＡ７で走行自在に案内支持されるトロリＡ８を有している。
前記台車搬送用コンベヤＡ５のトロリＡ８は、図示していないがコンベヤチェーンに連結されており、このコンベヤチェーンを駆動することによって、搬送台車Ａ１を走行させるようになっている。
【０００５】
一方、図９は、ワークＷを搭載してオーブン炉内で搬送するスキッド搬送体Ｂ１の一例を示すものであって、スキッド搬送用ローラコンベヤＢ２は、床面に設置された支持フレームＢ３の幅方向の一方の端部に、鍔付フリーローラＢ４が搬送方向に沿って多数配列されており、他方の端部には、それぞれの鍔付フリーローラＢ３と対向する位置に駆動ローラＢ５が配列されている。
【０００６】
それぞれの鍔付フリーローラＢ４は、水平軸回りに自由に回転できるようになっていて、その外周面両側に形成されている鍔部Ｆで、ワークＷを搭載したスキッド搬送体Ｂ１の一方のスキッド脚部Ｂ６の底部に設けられているローラ当接部ｔの両側面を案内するとともに、外周面で前記ローラ当接部ｔの下面を受けている。
【０００７】
また、それぞれの駆動ローラＢ５は、スキッド搬送体Ｂ１の他方のスキッド脚部Ｂ６のローラ当接部ｔ下面を外周面で受けており、駆動ローラＢ５の回転によりスキッド搬送体Ｂ１が搬送されるようになっている。
【０００８】
【発明が解決しようとする課題】
前述した従来のような搬送台車Ａ１においては、車体下部の走行車輪Ａ２が軌条Ａ４を転動して走行するため、現工程から次工程へ台車搬送用コンベヤを乗り継ぐ場合、台車搬送用コンベヤと搬送ラインを直交させるためのトラバーサとの間の乗り継ぎの場合、台車搬送用コンベヤと昇降リフターとの間の乗り継ぎの場合においては、台車搬送用コンベヤ、トラバーサ、昇降リフター等に敷設した軌条Ａ４における相互の軌条接続許容間隔や軌条段差許容間隔は、自動車のボディー等のようなワークＷを搬送する場合には最大でも１０ｍｍ程度であり、これを越えると円滑な乗り継ぎが困難となり多大な乗り継ぎ動力を要するばかりでなく、脱輪防止を十分な配慮した搬送ラインを設計する必要があった。
【０００９】
したがって、従来のような搬送台車Ａ１の搬送ラインを施工する際には、重厚長大である軌条Ａ４の適正な軌条接続許容間隔や軌条段差許容間隔を確保するために多大な施工負担と施工コストを強いられるという搬送ライン施工の問題があった。
【００１０】
また、従来のような搬送台車Ａ１においては、ローラコンベヤ・フリクションローラコンベヤなどのスキッド搬送用コンベヤＢ２に当接して搬送し得ることを意図したような搬送方向に長い車体下部フレームを有していないため、ローラコンベヤ・フリクションローラコンベヤなどのスキッド搬送用コンベヤＢ２を備えた搬送ラインに適用することができず、搬送台車Ａ１で搭載して搬送してきたワークＷをこのようなスキッド搬送用コンベヤＢ２を備えた搬送ラインで処理作業する際には搬送台車Ａ１からスキッド搬送体Ｂ１に積み替えなければならないという厄介な問題があった。
【００１１】
一方、前述したような従来の搬送スキッドＢ１においては、走行車輪を備えておらず、スキッド搬送用ローラコンベヤＢ２側に多数配置した鍔付フリーローラＢ４でワークＷを搭載したスキッド搬送体Ｂ１の全自重を受けるため、スキッド長手方向に歪みや撓みのない充分な強度を確保する必要があり、スキッド搬送体Ｂ１自体の重量を安易に軽量化させることができないというスキッド搬送体Ｂ１の設計上の問題があった。
【００１２】
また、前述したようなスキッド搬送体Ｂ１においては、走行車輪Ａ２を備えていないため、トラバーサを用いても従来の走行車輪Ａ２を備えた搬送台車Ａ１のように通常の搬送ラインから任意の退避エリアにラインアウト、すなわち、はね出しすることが出来ず、はね出し位置が多数のフリーローラを床面に別途設置した退避エリアのみに限定されるため、スキッド搬送体Ｂ１を自由自在な位置に退避させることができず、多数のフリーローラを退避エリアの広範な床面に別途設置した場合には設備コストが格段に高くなるとともに作業者が気付かずにフリーローラの上に乗ることがないように注意を促すなどの作業安全上の制約があった。
したがって、搬送ライン上でのトラブル対応時に所定の生産処理効率の維持が十分に望めないという作業工程管理の問題があった。
【００１３】
また、前述したようなスキッド搬送体Ｂ１をターンテーブル等に載せ換えて搬送方向を変更させる際には、搬送方向に延在するスキッド脚部Ｂ６の全体を支承し得る、すなわち、スキッド脚部Ｂ６の全長に相当するターンテーブル外径を要するため、搬送ラインのレイアウト設計上の制限が多いという問題があった。
【００１４】
そこで、本発明は、前述したような従来技術の問題を解決するものであって、本発明の目的は、スキッド搬送体と搬送台車のメリットを兼ね備えて、いかなる搬送ラインであっても連続的に円滑に乗り継いでワークを搬送するとともに、搬送ラインから退避エリアなどへのはね出し位置を自在且つ安全に確保するハイブリッド搬送台車を提供することである。
【００１５】
【課題を解決するための手段】
本請求項１に係る発明のハイブリッド搬送台車は、ワークを搭載して搬送駆動形態の異なる搬送ラインを乗り継いで搬送走行する台車本体と、該台車本体の下底面に設けて一対の軌条上を車輪走行する前後左右の走行車輪と、前記台車本体の下底面に搬送方向に沿ってワークの全長よりやや長く延設してスキッド搬送用ローラコンベヤ側の駆動ローラによりスキッド走行する左右一対のスキッド部と、前記台車本体の下底面の幅方向中央に設けて台車牽引用コンベヤ側の台車牽引用プッシャドグに係脱自在に係合して台車本体を牽引する台車牽引用係合部とを備えていることによって、前記課題を解決するものである。
また、本請求項２に係る発明のハイブリッド搬送台車は、本請求項１に係る発明の構成に加えて、前記走行車輪を水平軸回りで回動自在に支持する車軸がスキッド部に固定されていることによって、前記課題をさらに解決するものである。
【００１６】
ここで、本発明で意味するところの「スキッド部」とは、搬送ラインに沿って多数配設されたフリクションローラあるいは鍔付フリーローラ等のローラに当接して台車本体を搬送させるために、台車本体の下底面に搬送方向に細長く延設された左右一対のローラ当接部位のことである。
【００１７】
また、本発明で意味するところの「台車牽引用係合部」とは、搬送ラインのセンターラインに敷設された搬送用コンベヤの台車牽引用プッシャドグに係脱自在に係合して台車本体を搬送させるために、台車本体の下底面の幅方向中央に搬送ライン床面に向けて突設された係合トウピン等からなる係合部位のことである。
【００１８】
なお、本発明のハイブリッド搬送台車は、前記スキッド部の全長を搬送するワークの全長よりやや長く設定したことによって、ストレージコンベヤ装置に使用した際に、搬送されるワークがお互いに接触することなく、確実なストレージが達成される。
【００１９】
また、本発明のハイブリッド搬送台車に設けた走行車輪は、鍔付車輪、鍔無し車輪のいずれであっても差し支えないが、ハイブリッド搬送台車の蛇行防止、安定搬送等を考慮すると、鍔付車輪であることが望ましい。
【００２０】
そして、前記走行車輪を水平軸回りで回動自在に支持する車軸は、車体フレーム枠の一部としたスキッド部に固定することによって、本発明のハイブリッド搬送台車の背丈と重心を低くするとともに、台車本体自体の簡素化と軽量化を図っている。
【００２１】
更に、前記車軸がスキッド部の内側面に固定されている場合には、走行車輪がスキッド部より外側に突出しておらず、台車本体の下方側部における安全な作業空間が確保できるとともに、塗装工程などにおいては走行車輪への塗料付着による走行不良を生じることがなく、また、前記車軸がスキッド部の外側面に固定されている場合には、台車本体の底部に対する作業空間が台車の幅方向中央部に向けて広く確保することができるため、台車本体の底部に対する各種の作業性を著しく向上させることができる。
【００２２】
【作用】
本発明のハイブリッド搬送台車は、以下のような搬送ラインの搬送駆動形態に応じた使用態様を呈してワークを搭載搬送する。
【００２３】
１）搬送方向に沿った一側に水平軸回りの鍔付フリーローラを多数配列するとともにそれぞれの鍔付フリーローラと対向する他側の位置に水平軸回りの駆動ローラを配列してなるスキッド搬送用ローラコンベヤを備えた搬送ラインにおいては、前後左右の走行車輪を機能させることなく、台車本体の下底面に設けた一対のスキッド部の一方が当接する複数の鍔付フリーローラによって走行案内されるとともに、スキッド部の他方が当接する駆動ローラによってフリクション駆動されて、スキッド走行する。
【００２４】
なお、上述した搬送ラインを簡素化した、搬送方向に沿った両側に水平軸回りの鍔付フリーローラのみを多数配列した搬送ラインにおいては、一対のスキッド部が手押しで複数の鍔付フリーローラに走行案内されて、スキッド走行する。
【００２５】
２）搬送方向に沿った一対の軌条を敷設するとともに軌条幅方向の中央位置に台車牽引用プッシャドグを有する台車牽引用コンベヤを備えた搬送ラインにおいては、左右一対のスキッド部を機能させることなく、台車本体の下底面に設けた前後左右の走行車輪が一対の軌条に走行案内されるともに、台車牽引用係合部が係合する台車牽引用プッシャドグを有する台車牽引用コンベヤによって牽引されて、車輪走行する。
【００２６】
なお、上述した搬送ラインを簡素化した、搬送方向に沿った一対の軌条のみを敷設した搬送ラインにおいては、前後左右の走行車輪が手押しで軌条に案内走行されて、車輪走行する。
【００２７】
３）搬送方向に沿った両側に水平軸回りの鍔付フリーローラを多数配列するとともにこれらの鍔付フリーローラが並列したその中央位置に台車牽引用プッシャドグを有する台車牽引用コンベヤを備えた搬送ラインにおいては、前後左右の走行車輪を機能させることなく、台車本体の下底面に設けた一対のスキッド部が当接する複数の鍔付フリーローラによって走行案内されるとともに、台車牽引用係合部が係合する台車牽引用プッシャドグを有する台車牽引用コンベヤによって牽引されて、スキッド走行する。
【００２８】
４）搬送方向に沿った一対の軌条を敷設するとともに軌条の内側位置に搬送方向に沿って水平軸回りの駆動ローラを配列してなるスキッド搬送用ローラコンベヤを備えた搬送ラインにおいては、台車本体の下底面に設けた前後左右の走行車輪が台車本体の全重量を支持しながら一対の軌条を走行案内されるともに、台車本体の下底面に設けた一対のスキッド部の少なくとも一方が当接する駆動ローラによってフリクション駆動されて、台車支持力と台車推進力とがそれぞれ機能分担された状態で走行する。
【００２９】
５）搬送方向に沿った一対の軌条、もしくは、スキッド搬送用ローラコンベヤを備えることなく、台車牽引用プッシャドグを有する台車牽引用コンベヤのみを備えた曲線状の搬送ラインにおいては、前後左右の走行車輪と左右一対のスキッド部を機能させることなく、台車本体の下底面に設けた台車牽引用係合部のみが係合する台車牽引用プッシャドグを有する台車牽引用コンベヤによって牽引されるとともに台車本体の全重量が支持されて、台車牽引用コンベヤとの係合支承のみで牽引走行する。
【００３０】
６）上記１）もしくは３）のような前後左右の走行車輪を機能させることのない搬送ラインと上記２）のような左右一対のスキッド部を機能させることのない搬送ラインとの搬送駆動形態が異なる搬送ライン間の乗り継ぎにおいては、一方の搬送ラインに前後左右の走行車輪が走行案内されて台車本体が支持されている間に、他方の搬送路形態が異なる搬送ラインに左右一対のスキッド部の一端を走行案内して台車本体の全重量を順次移行させて乗り継ぐか、あるいは、搬送駆動形態が異なる双方の搬送ラインに左右一対のスキッド部を走行案内させて台車本体の全重量を分担支持させている間に、他方の搬送駆動形態が異なる搬送ラインに前後左右の走行車輪を走行案内して台車本体の全重量を順次移行させて乗り継ぐ。
【００３１】
【実施例】
以下、図面に基づいて本発明の一実施例であるハイブリッド搬送台車を説明する。
図１は、本発明の一実施例であるハイブリッド搬送台車を示す横断面図であり、図２は、図１に示したハイブリッド搬送台車の側面図であって、本実施例のハイブリッド搬送台車は、ワークＷとして自動車ボディーを搭載するものであり、自動車塗装工程等で用いられている。
【００３２】
そこで、図１、２に示すように、本実施例におけるハイブリッド搬送台車１は、台車本体の下底面に搬送方向に細長く延設された左右一対の中空鋼材からなるスキッド部２を有している。
そして、図１、２に仮想線で示したような搬送コンベヤＣ１で本実施例のハイブリッド搬送台車１を搬送する場合には、これらのスキッド部２は、搬送ラインに沿って多数配設されたフリクションローラＣ２に当接して台車本体を搬送することができるようになっている。
【００３３】
なお、スキッド部２がフリクションローラＣ２に当接して摺動する面に、摺動特性に優れたローラ当接部材（図示していない）を重設した場合には、搬送するための消費駆動力を少なくすることができ、円滑な搬送を達成することができるので、より好ましい。
【００３４】
そして、前記スキッド部２の全長は、搬送するワークＷの全長よりやや長く設定した方が、搬送コンベヤＣ１でストレージする場合を考慮すると、搬送されるワークＷがお互いに接触することなく確実なストレージを達成するので、より好ましい。
【００３５】
つぎに、この左右一対のスキッド部２の外側面、すなわち、台車本体の前後左右の４カ所には、走行車輪３を水平軸回りに回転自在に支持するための車軸４をそれぞれ固定しており、スキッド部２を車体フレーム枠の一部として利用することによって、台車搬送機能とスキッド搬送機能とを備えたにもかかわらず、台車本体の背丈を低くして低重心とした設計を達成している。
【００３６】
さらに、この左右一対のスキッド部２は、図６に示すように、台車本体の前後方向の複数箇所で連結部材５によってお互いに連結されている。
【００３７】
そして、これらの連結部材５のうち、ワークＷを搭載した際に搬送方向の前後バランスを最も安定化することのできる前端側と後端側の部材には、ワーク受枠６が設けられていて、これらのワーク受枠上に自動車ボディーからなるワークＷが搭載されるようになっている。
【００３８】
なお、ワーク受枠６の形態としては、図１、２に示したような形態に限定されるものではなく、パレットやコンテナ、さらに、箱状の定形物品等、ワークに応じた形態を有するものであれば、如何なるものであっても差し支えない。
【００３９】
つぎに、これらの連結部材５の下面には、搬送ラインのセンターラインに敷設された搬送用コンベヤの台車牽引用プッシャドグに係脱自在に係合して台車本体を搬送させるための、搬送ライン床面に向けて突設されたトウピン等からなる台車牽引用係合部７がそれぞれ溶接固定などによって設けられている。
また、台車牽引用係合部７は、左右のバランスが保たれるように連結部材５の幅方向中央位置に取り付けられている。
【００４０】
なお、台車牽引用係合部７の形態としては、図１、２に示したような搬送ライン床面に向けて突設されたトウピンに限定されるものではなく、搬送ラインのセンターラインに敷設された搬送用コンベヤの台車牽引用係合部に係脱自在に係合して台車本体を搬送させるためのものであれば、これ以外の如何なるものであっても差し支えない。
【００４１】
このようにして得られた本発明の一実施例であるハイブリッド搬送台車１は、以下のような搬送ラインの搬送駆動形態に応じた使用態様を呈してワークＷを搭載搬送することができる。
すなわち、図３に示すような、搬送方向に沿った一側に水平軸回りの鍔付フリーローラＤ１を多数配列するとともにそれぞれの鍔付フリーローラＤ１と対向する他側の位置に水平軸回りの駆動ローラＤ２を配列してなるスキッド搬送用ローラコンベヤＤ３を備えた搬送ラインにおいては、前後左右の走行車輪３を機能させることなく、台車本体の下底面に設けた一対のスキッド部２の一方が当接する複数の鍔付フリーローラＤ１によって走行案内されるとともに、スキッド部２の他方が当接する駆動ローラＤ２によってフリクション駆動されて、スキッド走行する。
【００４２】
したがって、本発明の一実施例であるハイブリッド搬送台車１によれば、図３に示すような駆動ローラ毎にユニット化されて組付けられた搬送ラインにおいても好適に利用することができる。
【００４３】
図４に示すような、搬送方向に沿った一対の軌条Ｅ１を敷設するとともに軌条幅方向の中央位置に台車牽引用プッシャドグＥ２を有する台車牽引用コンベヤＥ３を備えた搬送ラインにおいては、左右一対のスキッド部２を機能させることなく、台車本体の下底面に設けた前後左右の走行車輪３が一対の軌条Ｅ１に走行案内されるともに、台車牽引用係合部７が係合する台車牽引用プッシャドグＥ２を有する台車牽引用コンベヤＥ３によって牽引されて、車輪走行する。
【００４４】
したがって、本発明の一実施例であるハイブリッド搬送台車１を図４に示すような搬送ラインに用いた場合には、塗装工程で塗装を行った自動車のボディー等のワークＷを乾燥処理する際に台車本体が受ける熱的影響に関係なく、車輪走行による円滑な搬送ができるので、オーブン炉内で好適に利用することができる。
【００４５】
図５に示すような、搬送方向に沿った両側に水平軸回りの鍔付フリーローラＦ１を多数配列するとともにこれらの鍔付フリーローラＦ１が並列したその中央位置に台車牽引用プッシャドグＦ２を有する台車牽引用コンベヤＦ３を備えた搬送ラインにおいては、前後左右の走行車輪３を機能させることなく、台車本体の下底面に設けた一対のスキッド部２が当接する複数の鍔付フリーローラＦ１によって走行案内されるとともに、台車牽引用係合部７が係合する台車牽引用プッシャドグＦ２を有する台車牽引用コンベヤＦ３によって牽引されて、スキッド走行する。
【００４６】
したがって、本発明の一実施例であるハイブリッド搬送台車１を図５に示すような搬送ラインに用いた場合には、台車本体の下部空間を広範に確保することができるため、ワークＷの側部底面に対する各種の作業を容易に実施することができる。
【００４７】
図６（図１、２に仮想線で示した搬送コンベヤの斜視図）に示すような、搬送方向に沿った一対の軌条Ｃ３を敷設するとともに軌条Ｃ３の内側位置に搬送方向に沿って水平軸回りの駆動ローラＣ２を配列してなるスキッド搬送用ローラコンベヤＣ１を備えた搬送ラインにおいては、台車本体（ワーク受枠７は省略している。）の下底面に設けた前後左右の走行車輪３が台車本体の全重量を支持しながら一対の軌条Ｃ３を走行案内されるともに、台車本体の下底面に設けた一対のスキッド部２の少なくとも一方が当接する駆動ローラＣ２によってフリクション駆動されて、台車重量の支持力と台車推進力とがそれぞれ機能分担された状態で走行する。
【００４８】
したがって、本発明の一実施例であるハイブリッド搬送台車１を図６に示すような搬送ラインに用いた場合には、駆動ローラＣ２の消費動力を低減することができ、ストレージ時のスムーズな間欠搬送が達成できる。
【００４９】
図７に示すような、搬送方向に沿った一対の軌条、もしくは、スキッド搬送用ローラコンベヤを備えることなく、台車牽引用プッシャドグＨ１を有する台車牽引用コンベヤＨ２のみを備えた曲線状の搬送ラインにおいては、前後左右の走行車輪３と左右一対のスキッド部２を機能させることなく、台車本体の下底面に設けた台車牽引用係合部７のみが係合する台車牽引用プッシャドグＨ１を有する台車牽引用コンベヤＨ２によって牽引されるとともに台車本体の全重量が支持されて、台車牽引用コンベヤＨ２との係合支承のみで牽引走行する。
【００５０】
したがって、本発明の一実施例であるハイブリッド搬送台車１を図７に示すような曲線対応の搬送コンベヤに用いた場合には、搬送ラインの曲率が小さくても、円滑に小回りすることができ、搬送ラインの省スペース化を達成することができ、搬送ラインのレイアウト設計の自由度を高めることができる。
【００５１】
図３、５に示すような前後左右の走行車輪３を機能させることのない搬送コンベヤと図４に示すような左右一対のスキッド部２を機能させることのない搬送コンベヤとの搬送駆動形態が異なる搬送ライン間の乗り継ぎにおいては、一方の搬送ラインに前後左右の走行車輪３が走行案内されて台車本体が支持されている間に、他方の搬送路形態が異なる搬送ラインに左右一対のスキッド部２の一端を走行案内して台車本体の全重量を順次移行させて乗り継ぐか、あるいは、搬送駆動形態が異なる双方の搬送ラインに左右一対のスキッド部２を走行案内させて台車本体の全重量を分担支持させている間に、他方の搬送駆動形態が異なる搬送ラインに前後左右の走行車輪３を走行案内して台車本体の全重量を順次移行させて乗り継ぐ。
【００５２】
したがって、本発明の一実施例であるハイブリッド搬送台車１によれば、台車本体の全重量が乗り継ぎ先にスムーズに移行でき、乗り継ぎ時に発生しがちなガタツキも無く、安定した乗り継ぎが達成できる。
【００５３】
次に、本発明の一実施例であるハイブリッド搬送台車１は、走行車輪３の車軸４がスキッド部２の外側面に固定されていることによって、スキッド部２が左右の走行車輪３より内側に配置されて台車本体の底部に対する作業空間が台車の幅方向中央部に向けて広く確保することができるため、台車本体の下底面に対する各種の作業性を著しく向上させることができるばかりでなく、車体フレーム枠の一部としてスキッド部２を利用しているため、台車搬送機能とスキッド搬送機能とを備えたにもかかわらず、台車本体の背丈を低くして低重心とし、台車本体を簡素化して軽量化を図ることができる。
【００５４】
【発明の効果】
本発明のハイブリッド搬送台車は、搬送ラインの搬送駆動形態が各種の作業工程に合わせて特化された場合であっても、特化された搬送ラインに応じて車輪搬送、スキッド搬送、牽引搬送のいずれかの搬送機能を適宜選択的に達成することができるため、従来の搬送ライン設備をほぼそのまま利用することができる。
【００５５】
特に、本発明のハイブリッド搬送台車を異なる搬送駆動形態が組み合わされた搬送ラインにおいて使用する場合に、乗り継ぎの容易な搬送走行ができるため、搬送ラインのレイアウト設計の自由度を高めることができるばかりでなく、搬送台車が搬送ラインの全般に亙って共通して使用することができ、従来のような搬送台車に搭載したワークを作業工程毎に移し替える厄介な作業も解消することができる。
【００５６】
そして、本請求項１に係る発明のハイブリッド搬送台車は、前後左右の走行車輪によって軌条上を自立走行する台車本体の下底面に搬送方向に沿ってワークの全長よりやや長く延設してスキッド搬送用ローラコンベヤ側の駆動ローラによりスキッド走行するスキッド部を設けたことによって、走行車輪が軌条を転動して走行する台車搬送用コンベヤの相互間乗り継ぎの場合、台車搬送用コンベヤと搬送ラインを直交させるためのトラバーサとの間の乗り継ぎの場合、台車搬送用コンベヤと昇降リフターとの間の乗り継ぎの場合に、従来のような相互の軌条接続許容間隔や軌条段差許容間隔が自動車のボディー等のようなワークを搬送する場合に最大でも１０ｍｍ程度に抑える必要があった施工精度を台車本体の全長の約３分の１（例えば、台車本体の全長が４０００ｍｍである場合、約１３００ｍｍ）程度まで大幅に緩和しても円滑に確実な乗り継ぎができるため、施工負担と施工コストを著しく低減することができる。
【００５７】
そして、本請求項１に係る発明のハイブリッド搬送台車は、搬送方向に沿った一対の軌条を敷設するとともに軌条の内側位置に搬送方向に沿って水平軸回りの駆動ローラを配列してなるスキッド搬送用ローラコンベヤを備えた搬送ラインにおいて搬送走行する場合に、ワークを搭載した台車本体が前後左右の走行車輪によって軌条上を自立走行し、ワークを搭載した台車本体の全重量がスキッド部に実質的に負荷されないため、スキッド部に当接する駆動ローラの消費動力を少なくして軽度の推進力で最大限の推進負荷効率を発揮することができる。
【００５８】
また、本請求項１に係る発明のハイブリッド搬送台車は、搬送方向に沿った一側に水平軸回りの鍔付フリーローラを多数配列するとともにそれぞれの鍔付フリーローラと対向する他側の位置に水平軸回りの駆動ローラを配列してなるスキッド搬送用ローラコンベヤを備えた搬送ライン、あるいは、搬送方向に沿った両側に水平軸回りの鍔付フリーローラを多数配列するとともにこれらの鍔付フリーローラが並列したその中央位置に台車牽引用プッシャドグを有する台車牽引用コンベヤを備えた搬送ラインから退避エリアにラインアウト、すなわち、はね出しする場合に、前後左右の走行車輪を備えて自立走行することができるため、従来のスキッド搬送体のようなはね出し位置の制限もなく、搬送ライン近傍の任意の退避エリアに自由自在な退避エリアにはね出しすることができる。
また、はね出すための退避エリアに多数のフリーローラを配設する必要もないので、従来のような搬送ラインに必要とした設備コストを軽減することができるとともに、退避エリアでの作業者の足元環境がスッキリして作業者の安全性を確保することができる。
【００５９】
本請求項１に係る発明のハイブリッド搬送台車は、ターンテーブル等に載せ換えて搬送方向を変更させる際に、従来のスキッド搬送体のようにスキッド脚部の全長に相当するターンテーブル外径を要することなく、走行車輪の前後間隔に相当するターンテーブル外径があれば足りるため、ターンテーブルの小型化が達成でき、無駄なターンエリアをできるだけ縮小して搬送方向変更エリアの設計レイアウトの自由度を向上させることができる。
上述したように、本発明のハイブリッド搬送台車は、スキッド搬送体と搬送台車のメリットを兼ね備えて、いかなる搬送ラインであっても連続的に円滑に乗り継いでワークを搬送することができるとともに、搬送ラインから退避エリアなどへのはね出し位置を自在且つ安全に確保することができるため、搬送工程における品質管理を確実かつ容易に達成することができる。
【００６０】
また、本請求項１に係る発明のハイブリッド搬送台車は、台車本体の下底面の幅方向中央に設けて台車牽引用コンベヤ側の台車牽引用プッシャドグに係脱自在に係合して台車本体を牽引する台車牽引用係合部とを備えていることにより、台車牽引用プッシャドグを少なくとも有する台車牽引用コンベヤを備えた搬送ラインにおいて台車本体側の台車牽引用係合部が台車牽引用コンベヤ側の台車牽引用プッシャドグに牽引されて車輪走行、若しくはスキッド走行することができる。
【００６１】
加えて、本請求項２に係る発明のハイブリッド搬送台車は、本請求項２に係る発明のハイブリッド搬送台車が奏する効果に加えて、走行車輪を水平軸回りで回動自在に支持する車軸がスキッド部に固定されていることによって、ハイブリッド搬送台車の背丈を低くして低重心とし、台車本体自体の簡素化と軽量化を図ることができる。
【図面の簡単な説明】
【図１】 本発明であるハイブリッド搬送台車の横断面図。
【図２】 本発明であるハイブリッド搬送台車の側面図。
【図３】 本発明のハイブリッド搬送台車とスキッド搬送用ローラコンベヤとのスキッド搬送状態を示した横断面図。
【図４】 本発明のハイブリッド搬送台車と台車搬送用コンベヤとの車輪搬送状態を示した横断面図。
【図５】 本発明のハイブリッド搬送台車と台車搬送用コンベヤとのスキッド搬送状態を示した横断面図。
【図６】 本発明のハイブリッド搬送台車とスキッド搬送用ローラコンベヤとのハイブリット搬送状態を示した斜視図。
【図７】 本発明のハイブリッド搬送台車と台車搬送用コンベヤとの牽引搬送状態を示した横断面図。
【図８】 従来の搬送台車と台車搬送用コンベヤとの搬送状態を示した横断面図。
【図９】 従来のスキッド搬送体とスキッド搬送用ローラコンベヤとの搬送状態を示した横断面図。
【符号の説明】
１ ・・・ハイブリッド搬送台車
２ ・・・スキッド部
３ ・・・走行車輪
４ ・・・車軸
５ ・・・連結部材
６ ・・・ワーク受枠
７ ・・・台車牽引用係合部
Ｗ ・・・ワーク
【図１】
0004182182.tif 000002
【図２】
0004182182.tif 000003
【図３】
0004182182.tif 000004
【図４】
0004182182.tif 000005
【図５】
0004182182.tif 000006
【図６】
0004182182.tif 000007
【図７】
0004182182.tif 000008
【図８】
0004182182.tif 000009
【図９】
0004182182.tif 000010